(57)【要約】      （修正有）【課題】  従来、ハンガー掛けは、洋服ダンスに収納して場所をとり不便であった。縦型のハンガー掛けも長所と短所があり、その改善策として場所を取らず、コンパクトで手軽に移動でき、複数の衣服が掛けられ、簡単で安価に出来る事を課題とした。【解決手段】  ハンガー掛けの支持体とＵ字型支持軸を分割して、支持体の下部に差し込み穴２を設け、その支持軸と一体化してＵ字型支持軸の先端に球状のキャップ３を被せ、上部に吊り下げ部材４を設けたハンガー掛けである。又ハンガーを掛けるハンガー支持体より、下方に伸びた複数の縦の支持軸に段差を設け、その支持軸より前方に突出したＵ支持軸の長さに長短を設け、滑り止めのために先端部を曲げ、上部に吊り下げ部材４を設け一体化したハンガー掛けである。【選択図】図１
2006136365.tif 000002
【特許請求の範囲】
【請求項１】
ハンガー掛けを、支持体と支持軸に分け、支持体の下部に、差し込み穴を設け、複数の長短のあるＵ字型の支持軸を差し込み、その先端部に球状のキャップを被せ、上部に吊り下げ部材を設けたハンガー掛け。
【請求項２】
請求項１記載のハンガー掛けを一体成型するために、ハンガー支持体より伸びる複数の縦のＵ字型支持軸に段差を設け、その支持軸より前方に突出した長さに長短を設け、滑り止めのために先端部を曲げ、先端を球状にし、上部に吊り下げ部材を設けたハンガー掛け。
【発明の詳細な説明】
【技術分野】
【０００１】
本発明は、複数のハンガーを掛けるために、場所を取らず、移動可能な、ハンガー掛けに関するものである。
【背景技術】
【０００２】
従来のハンガー掛けは、洋服ダンスの支持棒に、横一列にハンガーを掛けていたために、場所が固定され、場所の面積を多くとり、狭い部屋には不向きであった。帰宅時に汗や埃の付着した服をいきなり洋服ダンスにしまうと、密閉され、空気の流通がないために、湿気などで、タンスの中では黴びや、虫食いの原因になり、他の服に迄も影響を及ぼしていた。
【０００３】
縦一列のハンガー掛けもあるが、縦一列の板状の本体に、洋服を掛けるための斜めの片を数個つけているために、ぶら下がりが長く洋服の重なりが密になり、洋服の着脱が不便である。
【０００４】
【特許文献１】特開２００３−３３９５０９号公報
【発明の開示】
【発明が解決しようとする課題】
【０００５】
以上に述べた従来の横一列のハンガー掛けでは、大きく場所を取り、高価で、場所が固定され、洋服ダンスの中が密閉されるための弊害が多い。（湿気が多い、黴びが生えやすい、等）縦一列のハンガー掛けも、縦一列の板の本体に、洋服を掛けるための斜めの片を数個つけているが、奥行きに長短が無いために、服の重なりが密になり、着脱がしにくい。
【０００６】
柱や壁面に固定したハンガー掛けもあるが、移動が出来ない。鴨居などを利用して吊り下げ部を掛けたのもあるが、体裁も悪く、鴨居を傷つける事になる。
【０００７】
ハンガーを掛けるためのハンガー掛けに、複数の衣服を掛ける事ができ、重なりが密にならず、着脱が楽で場所を取らず、コパクトで移動が可能、構造が簡単で、安価に出来ることを課題とする。
【課題を解決するための手段】
【０００８】
本発明は、この様な従来の構成が有していた問題を解決しようとするものであり、コンパクトな構造のために安価に作られ、持ち運びも簡単である。また、衣服の重なりが密でなく、複数の服が掛けられ、襟崩れも多少軽減され、着脱が簡単に出来る事を目的とする。
【０００９】
上記の目的を達成して、複数のハンガーをかけるために、図１は、ハンガー掛けを、ハンガー支持体１とＵ字型の支持軸ＡＢＣに分け、ハンガー支持体１の下部の穴２は、差し込み式（接着剤を用いる）である。または、ねじ込み式にしても良い。Ｕ字型支持軸ＡＢＣの先端部に被せる球状のキャップ３は、合成樹脂又はゴムなどで成型加工する。上部に吊り下げ部材４を設ける。
【００１０】
図２は、幅を持たせたハンガー支持体１の下部に、縦方向に伸びる複数の支持軸ＡＢＣに段差を設ける。その支持軸より前方に突出した横の支持軸の長さに長短を設け、それぞれの支持軸の先端部に、滑り止めための曲部２を設け、その先端を球状３とする。上部に、吊り下げ部材４を設けて、ハンガー掛けをコンパクトにする。硬質の合成樹脂材や、金属などで一体成型加工をすると安価である。
【００１１】
図３は、図２を、金属（針金）等で一体成型加工したものである。
【００１２】
図１のハンガー支持体１は木材、合成樹脂、金属等で成型し、Ｕ字型支持軸ＡＢＣや吊り下げ部材４等は、金属、硬質樹脂材等にして、ハンガー支持体１と異なる素材の方が、強度も強くなり、デザイン的にもよく、加工工程も楽である。
【００１３】
図１また図２においても、支持軸の数に制限は無く、支持軸に設ける段差の付け方の順序を変えても良い。全体としてバランスの良い方が好ましい。
【発明の効果】
【００１４】
単身赴任の人や、学生のなど仮住まいの人達や、狭い部屋に住む事を余儀なくされている人達には、安価で場所を取らず、持ち運びにも便利なハンガーである。
【００１５】
また洋服ダンスのある人にも、帰宅時に汗や埃の付着した衣服を直接洋服ダンスに入れると、密閉され、空気の流通が無いために、衣服に黴びや虫食いの原因を作る事になるので、汗や埃の汚れを除いてから洋服ダンスに納めるために、仮置きとして使用する事にも効果がある。花粉アレルギー等で苦しんでいる人は、外に洗濯物を干して、花粉などが衣服に付着するのを防ぐために、外で干す事が無理な場合、洗濯機の傍で、脱水済みの下着や衣服を掛け、室内で乾燥させる時に使用しても効果がある。洋服のみならず、小物掛け等、多方面に利用出来る。
【００１６】
上述したように本発明のハンガー掛けは、移動が可能であり、場所をとらず、コンパクトで安価に作られ、複数の服や、小物が掛けられ、着脱が簡単に出来る事を特徴とするハンガー掛けである。
【発明を実施するための最良の形態】
【００１７】
ハンガー支持体１を木材、合成樹脂、金属等で成型加工して、Ｕ字状型の支持軸ＡＢＣや、吊り下げ下部材４のフックなどは、金属、硬質樹脂材等で、ハンガー支持体１と異なる素材にした方が、デザイン的にもよく、強度も強くなる。球状のキャップ３は配色を変えて合成樹脂やゴムなどで成型し、被せる事で被服の分別、整理に効果的である。
【００１８】
図１また図２においても、支持軸の数は複数又は無制限とし、段差の付け方の順序を変えても良い。バランスのとれる方が好ましい。また図３においては、金属（針金）等で一体成型加工したものである。
【００１９】
以下、本発明の実施形態を、図１〜図４に基づいて説明する。
図１においては、１は、ハンガー支持体であり、２は、支持体の下部に差し込む穴である。ＡＢＣは、Ｕ字型支持軸である。３は、支持軸に被せる球状キャップである。４は、吊り下げ部材である。
【００２０】
図２は、ハンガー掛けの支持体１であり幅を持たせ、襟元の重なりを防ぐために、その下部より伸びたＵ字型支持軸ＡＢＣ数本に段差を設ける、服の重なりが密にならないために、その支持軸よりそれぞれ前方に突出した支持軸の長さに長短を設ける。それぞれの支持軸の先端部を、滑り止めために曲部２を設け、衣服を傷つけないために、その先端を球状３として、上部に吊り下げ部材４を設ける。
【００２１】
使用する時は、フックや釘に掛けて使用する。衣服以外に小物掛けなど，利用方法はさまざまである。
【図面の簡単な説明】
【００２２】
【図１】ハンガーの支持体と支持軸を分割したハンガー掛け斜視図。
【図２】ハンガーの支持体とＵ字型支持軸を一体化したハンガー掛け斜視図。
【図３】針金等で一体成型加工したハンガー掛け斜視図。
【図４】図３使用時の正面図。
【符号の説明】
【００２３】
１  ハンガー支持体
２  差し込み式の穴
３  球状のキャップカバー
４  吊り下げ部材
Ａ  Ｕ字型の支持軸
Ｂ  Ｕ字型の支持軸
Ｃ  Ｕ字型の支持軸
【図１】
2006136365.tif 000003
【図２】
2006136365.tif 000004
【図３】
2006136365.tif 000005
【図４】
2006136365.tif 000006